(57)【要約】再生専用の高密度光ディスク及びその再生方法が開示されている。  この開示すされた再生専用の高密度光ディスクは、ディスク関連情報が高周波のウォッブルで記録された高周波データゾーンと、データがピット列で記録されたユーザーデータ領域と、前記高周波データゾーンとユーザーデータ領域との間に備えられた転移ゾーンとを含むことを特徴とする。  前記構成により転移ゾーンを具備することによって、ユーザーデータ領域の再生時にさらに信頼性のある再生を行える。
2005531870.tif 000002
【特許請求の範囲】
【請求項１】
ディスク関連情報が高周波のウォッブルで記録された高周波データゾーンと、
データがピット列で記録されたユーザーデータ領域と、
前記高周波データゾーンとユーザーデータ領域との間に備えられた転移ゾーンとを含むことを特徴とする再生専用の高密度光ディスク。
【請求項２】
前記転移ゾーンがピットで形成されたことを特徴とする請求項１に記載の再生専用の高密度光ディスク。
【請求項３】
前記転移ゾーンが、同じ大きさのピットが配列された一つ以上のピット列で形成されたことを特徴とする請求項２に記載の再生専用の高密度光ディスク。
【請求項４】
前記転移ゾーンが、相異なる大きさを持つランダムピットが配列されたピット列で形成されたことを特徴とする請求項２に記載の再生専用の高密度光ディスク。
【請求項５】
前記ピットは列で配列され、一つ以上のピット列はウォッブリングされたことを特徴とする請求項２に記載の再生専用の高密度光ディスク。
【請求項６】
前記ウォッブリングされたピット列の振幅が、前記高周波データゾーンからユーザーデータ領域へ行くほど漸進的に減少することを特徴とする請求項５に記載の再生専用の高密度光ディスク。
【請求項７】
前記転移ゾーンがグルーブで形成されたことを特徴とする請求項２に記載の再生専用の高密度光ディスク。
【請求項８】
前記ピットが列で配列され、転移ゾーンは高周波データゾーンのトラックピッチまたはユーザーデータ領域のトラックピッチと異なるトラックピッチを持つことを特徴とする請求項２に記載の再生専用の高密度光ディスク。
【請求項９】
転移ゾーンのピット列が最外周部ではウォッブリングされないことを特徴とする請求項６に記載の再生専用の高密度光ディスク。
【請求項１０】
前記転移ゾーンはグルーブを含むことを特徴とする請求項１に記載の再生専用の高密度光ディスク。
【請求項１１】
前記グルーブがウォッブリングされたことを特徴とする請求項１０に記載の再生専用の高密度光ディスク。
【請求項１２】
前記ウォッブリングされたグルーブの振幅は、高周波データゾーンからユーザーデータ領域へ行くほど漸進的に減少することを特徴とする請求項１１に記載の再生専用の高密度光ディスク。
【請求項１３】
前記転移ゾーンはミラー領域を含むことを特徴とする請求項１に記載の再生専用の高密度光ディスク。
【請求項１４】
前記転移ゾーンが所定の情報を含むことを特徴とする請求項１に記載の再生専用の高密度光ディスク。
【請求項１５】
前記所定の情報は転移ゾーン情報を含むことを特徴とする請求項１４に記載の再生専用の高密度光ディスク。
【請求項１６】
前記転移ゾーン情報は、前記転移ゾーンにある一つ以上のウォッブリングされたピットにより記録されることを特徴とする請求項５に記載の再生専用の高密度光ディスク。
【請求項１７】
前記ピットが列で配列され、転移ゾーンは、高周波データゾーンのトラックピッチまたはユーザーデータ領域のトラックピッチと異なるトラックピッチを持つことを特徴とする請求項１に記載の再生専用の高密度光ディスク。
【請求項１８】
データゾーン、ユーザーデータ領域、及び転移ゾーンを持つ再生専用の高密度光ディスクからデータを再生する方法において、前記方法は、
前記データゾーンにウォッブルで記録されたディスク関連情報を、プッシュプルチャンネルを利用して再生する段階と、
ユーザーデータ領域で、データピットで記録されたユーザーデータを和チャンネルを利用して再生する段階と、
前記データゾーンとユーザーデータ領域との間に形成された転移ゾーンにある転移ゾーン情報を、プッシュプルチャンネル及び和チャンネルを利用して再生する段階とを含むことを特徴とする光ディスク再生方法。
【請求項１９】
前記転移ゾーンがピット列を含むことを特徴とする請求項１８に記載の光ディスク再生方法。
【請求項２０】
前記転移ゾーンにあるピットは相異なるサイズを持つことを特徴とする請求項１９に記載の光ディスク再生方法。
【請求項２１】
前記一つ以上のピット列がウォッブリングされたことを特徴とする請求項１９に記載の再生方法。
【請求項２２】
前記ウォッブリングされたピット列の振幅は、データゾーンからユーザーデータ領域へ行くほど漸進的に減少することを特徴とする請求項２１に記載の再生方法。
【請求項２３】
前記ディスク関連情報の再生は、高周波ウォッブルにより記録されるディスク関連情報を再生する段階を含むことを特徴とする請求項１８に記載の再生方法。
【請求項２４】
前記グルーブは列で配列され、転移ゾーンは、データゾーンのトラックピッチまたはユーザーデータ領域のトラックピッチと異なるトラックピッチを持つことを特徴とする請求項１０に記載の高密度再生専用光ディスク。
【請求項２５】
ディスク関連情報がウォッブルで記録されたデータゾーンと、
ユーザーデータがデータピットで記録されたユーザーデータ領域と、
前記データゾーンとユーザーデータ領域との間に形成された転移ゾーンと、を含むことを特徴とする再生専用媒体。
【請求項２６】
前記再生専用媒体は、高密度再生専用光ディスクであることを特徴とする請求項２５に記載の再生専用媒体。
【請求項２７】
前記転移ゾーンは一つ以上のピット列を含むことを特徴とする請求項２５に記載の再生専用媒体。
【請求項２８】
前記転移ゾーンはグルーブとミラー領域のうち一つを含むことを特徴とする請求項２５に記載の再生専用媒体。
【請求項２９】
データゾーン、ユーザーデータ領域、及び転移ゾーンを持つ再生専用の高密度光ディスクにデータを記録する方法において、前記方法は、
前記データゾーンにあるウォッブルでディスク関連情報を記録する段階と、
前記ユーザーデータ領域にあるデータピットでユーザーデータを記録する段階と、
前記データゾーンとユーザーデータ領域との間に形成された転移ゾーンにある転移ゾーン情報を記録する段階とを含むことを特徴とする方法。
【請求項３０】
前記転移ゾーン情報を記録する段階は、所定数の列で配列されたピットで記録する段階を含むことを特徴とする請求項２９に記載の方法。
【請求項３１】
前記ピットを記録する段階は、一つ以上のピット列をウォッブリングする段階を含むことを特徴とする請求項３０に記載の方法。
【請求項３２】
前記一つ以上のピット列をウォッブリングする段階は、ウォッブリングされたピット列の振幅が、高周波データゾーンからユーザーデータ領域へ行くほど漸進的に減少するようにウォッブリングする段階を含むことを特徴とする請求項３１に記載の方法。
【請求項３３】
前記ピットを記録する段階は、同じサイズを持つピットを記録する段階と相異なるサイズを持つピットを記録する段階のうち一つを含むことを特徴とする請求項３０に記載の方法。
【請求項３４】
前記転移ゾーン情報を記録する段階は、転移ゾーンにグルーブを提供する段階を含むことを特徴とする請求項２９に記載の方法。
【請求項３５】
前記グルーブを提供する段階は、グルーブをウォッブリングする段階を含むことを特徴とする請求項３４に記載の方法。
【請求項３６】
前記グルーブをウォッブリングする段階は、ウォッブリングされたグルーブの振幅が高周波データゾーンからユーザーデータ領域へ行くほど漸進的に減少するようにウォッブリングする段階を含むことを特徴とする請求項３５に記載の方法。
【請求項３７】
前記ディスク関連情報を記録する段階は、データゾーンにある高周波ウォッブルによりディスク関連情報を記録する段階を含むことを特徴とする請求項２９に記載の方法。
【発明の詳細な説明】
【技術分野】
【０００１】
本発明は高周波グルーブウォッブルで形成されたゾーンと、ユーザーデータがピットで形成されたゾーンとの間に転移ゾーンを具備した再生専用の高密度光ディスク及びその再生方法に関する。
【背景技術】
【０００２】
一般的に光ディスクは、非接触式で情報を記録／再生する光ピックアップ装置の情報保存媒体として広く採用され、情報記録容量によってコンパクトディスク（ＣＤ）、デジタル多機能ディスク（ＤＶＤ）に区分される。そして、情報の記録、消去及び再生が可能な光ディスクとして、６５０ＭＢ  ＣＤ−Ｒ、ＣＤ−ＲＷ、４．７ＧＢ  ＤＶＤ＋ＲＷ、ＤＶＤ−ＲＡＭ、ＤＶＤ−ＲＷなどがあり、再生専用ディスクとして６５０ＭＢ  ＣＤ、４．７ＧＢ  ＤＶＤ−ＲＯＭなどがある。さらに、記録容量が２０ＧＢ以上の高密度光ディスク（ＨＤ−ＤＶＤ）も開発されている。
【０００３】
ところが、従来の再生専用ディスクでは、ディスクの内周側に設けられたリードイン領域に、ディスク関連情報である再生専用データがピット形態で記録されたものが一般的である。しかし、今後開発される記録可能な高密度光ディスクが、このような従来の再生専用ディスクと異なるデータ構造を持つフォーマットで設計される場合、ディスクドライブの互換性確保のためにフォーマットの一貫性ないし統一性を保持するために、従来の再生専用ディスクとは異なるデータ構造が要求される。すなわち、再生専用の高密度光ディスクの物理的なデータ構造を、記録可能な高密度光ディスクのフォーマットを考慮して新たに構成することが要求される。
【発明の開示】
【発明が解決しようとする課題】
【０００４】
本発明は前記問題点を鑑みてなされたものであり、再生専用データが高周波のグルーブウォッブルで形成された高周波データゾーンと、ユーザーデータがピットで形成されたユーザーデータゾーンとを具備し、高周波データゾーンとユーザーデータゾーンとの間に転移ゾーンを具備して、記録可能な高密度光ディスクのフォーマットと一貫性を保持するようにした再生専用の高密度光ディスク及びその再生方法を提供するところにその目的がある。
【課題を解決するための手段】
【０００５】
前記目的を達成するために本発明による再生専用の高密度光ディスクは、ディスク関連情報が高周波のウォッブルで記録された高周波データゾーンと、データがピット列で記録されたユーザーデータ領域と、前記高周波データゾーンとユーザーデータ領域との間に備えられた転移ゾーンとを含むことを特徴とする。
【０００６】
前記転移ゾーンは、同じ大きさのピット列またはランダムなピット列で形成される。
【０００７】
また、前記ピット列がウェーブ形態にウォッブリングされる。
【０００８】
ここで、前記ウォッブリングされたピット列の振幅が、前記高周波データゾーンからユーザーデータ領域へ行くほど漸進的に減少することが望ましい。
【０００９】
前記転移ゾーンがグルーブで形成されるか、またはミラー領域で形成される。
【００１０】
前記目的を達成するために本発明による再生専用の高密度光ディスクの再生方法は、ディスク関連情報が高周波のウォッブルで形成された高周波データゾーンを、プッシュプルチャンネルを利用して再生する段階と、ピットで形成されたユーザーデータ領域を、和チャンネルを利用して再生する段階と、前記高周波データゾーンとユーザーデータ領域との間に形成された転移ゾーンを、プッシュプルチャンネル及び和チャンネルを利用して再生する段階とを含む。
【００１１】
本発明の他の目的を達成するために、データゾーン、ユーザーデータ領域及び転移ゾーンを持つ再生専用光ディスクにデータを記録する方法において、前記方法は、前記データゾーンにあるウォッブルでディスク関連情報を記録する段階と、前記ユーザーデータ領域にあるデータピットでユーザーデータを記録する段階と、前記データゾーンとユーザーデータ領域との間に形成された転移ゾーンにある転移ゾーン情報を記録する段階とを含む。
【発明を実施するための最良の形態】
【００１２】
本発明の望ましい実施例及び添付された図面に示された例が詳細に参照され、ここで同じ参照番号は同じ部材を表す。図面を参照して本発明を説明するために実施例が次のように説明される。
【００１３】
本発明の関連技術であって、記録可能な高密度光ディスクの物理的構造が図１に示されている。この記録可能な高密度光ディスクは、リードイン領域１１０、ユーザーデータ領域１２０及びリードアウト領域１３０を含み、ディスク全体領域をグルーブ１２３及びランド１２５で構成する。ここで、ユーザーデータはグルーブ１２３のみに記録でき、または、グルーブ１２３とランド１２５両側にいずれも記録できる。
【００１４】
一方、再生専用データの記録時、ピットの代わりにグルーブ１２３及び／またはランド１２５の側壁に、特定周波数の信号であるウェーブ型のウォッブル信号１０５、１０６を連続して記録する。ここで、ビームＬがグルーブ１２３及び／またはランド１２５トラックに沿いつつデータを記録／再生する。特に、リードイン領域１１０及びリードアウト領域１３０には、ディスク関連情報が記録される再生専用領域と記録可能な領域とが共に備えられる。ディスク関連情報は高周波ウォッブル１０５で記録され、リードイン領域１１０及びリードアウト領域１３０の記録可能な領域と、ユーザーデータ領域１２０とは、高周波ウォッブル１０５に比べて相対的に低い周波数のウォッブル１０６で構成される。未説明符号１２７は、ユーザーデータ領域１２０に形成された記録マークを表す。
【００１５】
このような構造よりなる記録可能な光ディスクで、リードイン領域の再生専用データはプッシュプルチャンネルを利用して再生し、ユーザーデータは和チャンネルを利用して再生できる。
【００１６】
前記のような記録可能な高密度光ディスクの構造との一貫性を考慮して、本発明による再生専用の高密度光ディスクの物理的データ構造を次のように構成できる。
【００１７】
図２を参照するに、本発明による再生専用の高密度光ディスクは、リードイン領域１０、ユーザーデータ領域１３及びリードアウト領域１５を具備し、リードイン領域１０及びリードアウト領域１５のうち少なくともいずれか一領域にディスク関連情報のような再生専用データが記録され、ユーザーデータ領域１３に再生専用のユーザーデータが記録される。
【００１８】
リードイン領域１０及びリードアウト領域１５には、グルーブトラック３とランドトラック５とが交互に形成され、前記ディスク関連情報のような再生専用データが、グルーブトラック３またはランドトラックの両側壁にウェーブ形態の高周波グルーブウォッブル８で記録された高周波データゾーンが備えられる。また、前記ユーザーデータは基板製造時にピット形態１８で記録される。このようなディスクは一種のハイブリッドディスクであり、再生チャンネルが相異なって構成される。特に、前記記録可能な光ディスクで、リードイン領域の再生専用データはプッシュプルチャンネルを利用して再生し、ユーザーデータは和チャンネルを利用して再生するのと同一に、再生専用光ディスクでも、前記高周波データゾーンはプッシュプルチャンネルを利用して再生し、前記ユーザーデータ領域は和チャンネルを利用して再生する。このような側面で、記録可能な光ディスクのデータ構造と一貫性のあるデータ構造を持つ再生専用光ディスクを提供できる。
【００１９】
前記のように、グルーブウォッブルで形成された高周波データゾーンと、ピットで形成されたユーザーデータ領域とを含むディスク構造で、前記高周波データゾーンとユーザーデータ領域との間に転移ゾーンを具備することが望ましい。前記転移ゾーンを具備することによってドライブが安定にユーザーデータを再生できる。
【００２０】
本発明の第１実施例によれば、前記転移ゾーンはピット列で形成できる。例えば、図３Ａに示されたように、前記ピット列は同じ大きさを持つピットの配列で構成され、または、図３Ｂに示されたように、他の大きさを持つランダムなピットの配列で構成される。このように、ランダムなピットで構成される場合には、このピット列に所定の情報、例えば、転移ゾーンという情報が記録されうる。ここで、図３Ａを参照するに、転移ゾーンのトラックピッチＴＰ２が、高周波データゾーンのトラックピッチＴＰ１またはユーザーデータ領域のトラックピッチＴＰ３と異なって構成されうる。
【００２１】
また、前記転移ゾーンがピット列で形成されているが、図３Ｃに示されたように、ピット列がウォッブリングされた形状を持つように形成されうる。すなわち、ピット列の全体的な形状がウェーブ形態のウォッブルよりなるようにする。このように、ウォッブリングされたピット列を形成する場合に、ウォッブルの形態によって転移ゾーンという情報が記録されうる。特に、転移ゾーンの次のユーザーデータ領域にウォッブルが形成されていない点を考慮する時、ウォッブリングされたピット列のウォッブル振幅を高周波データゾーンからユーザーデータ領域へ行くほど漸進的に減少させて、転移ゾーンの最後の部分では、ユーザーデータゾーンと同一に、ウォッブルが形成されていないピット列につながるようにすることが望ましい。このようにすることで、ユーザーデータ領域でさらに安定的にデータ再生を行える。また、このような場合、ディスク製造のための基板にピットを形成する時、転移ゾーンからユーザーデータ領域へ大きい変化なしに自然に連結されるので、ディスク製造工程の側面でも有利である。
【００２２】
前記転移ゾーンがウォッブリングされたピット列で形成される場合に、高周波データゾーン、転移ゾーン及びユーザーデータ領域でのデータ再生チャンネル及びトラッキング方法を整理すると次の通りである。
【００２３】
【表１】
2005531870.tif 000003
データがウォッブリングピットで形成された転移ゾーンを再生する時、プッシュプルチャンネル及び和チャンネル双方から信号が検出される。このように、転移ゾーンでプッシュプルチャンネルと和チャンネル双方を利用すれば、和チャンネルを利用するユーザーデータ領域での情報再生において信頼性が向上する。すなわち、転移ゾーンでのデータ再生チャンネルがユーザーデータ領域でのデータ再生チャンネルと同一であれば、再生チャンネルの転換なしに直ちにユーザーデータを再生できるからである。前記表でＤＰＤは、位相差検出法によりトラッキングサーボを具現する方法であって、プッシュプル方法と共に既に広く公示されているので、ここでは詳細な説明を省略する。
【００２４】
一方、前記表１のように、高周波データゾーン、転移ゾーン及びユーザーデータ領域での再生チャンネルが相異なる場合には、再生チャンネル信号を検出することによって転移ゾーンを区別できる。すなわち、プッシュプルチャンネルと和チャンネルとから共に信号が検出される時には転移ゾーンであることが分かる。
【００２５】
また、ディスクのタンジェンシャル方向及び半径方向のうちいずれか一方向に沿って一定の区間を転移ゾーンとして割り当てることもある。
【００２６】
次いで 、本発明の他の実施例による高密度再生専用ディスクは、高周波データゾーンとユーザーデータ領域との間に転移ゾーンが備えられ、前記転移ゾーンがグルーブで形成される。
【００２７】
例えば、図４Ａに示されたように、転移ゾーンがウォッブリングされていないグルーブで形成されることもあり、または、図４Ｂに示されたように、ウォッブリングされたグルーブで形成されることもある。転移ゾーンがウォッブリングされたグルーブで形成された場合、ウォッブルに所定の情報、例えば、転移ゾーンという情報が記録されうる。ここで、前記転移ゾーンのトラックピッチＴＰ２は、前記高周波データゾーンのトラックピッチＴＰ１またはユーザーデータ領域のトラックピッチＴＰ３と異なって形成されうる。このように各領域のトラックピッチを相異なって構成することによって転移ゾーンを区別できる。
【００２８】
さらに、図４Ｃに示されたように、転移ゾーンがウォッブリングされたグルーブで形成され、グルーブウォッブルの振幅を、高周波データゾーンからユーザーデータ領域へ行くほど漸進的に減少させることが望ましい。このようにすることで、ユーザーデータ領域と自然に連結されてさらに安定的にデータを再生可能になる。
【００２９】
本発明の第３実施例による高密度再生専用光ディスクは、図５を参照するに、高周波ウォッブルで形成された高周波データゾーンとピットで形成されたユーザーデータ領域とが備えられ、前記高周波データゾーンとユーザーデータ領域との間にミラー領域で形成された転移ゾーンが備えられる。このように転移ゾーンがミラー領域で形成された場合には、転移ゾーンの再生時に何の信号も検出されない。
【００３０】
前記のように、本発明による再生専用の高密度光ディスクでは、何の情報もなく単純に転移区間のみを配置することもある一方、転移ゾーンであることを表すデータを記録することもある。
【００３１】
次いで、本発明による高密度再生専用ディスクの再生方法について説明する。
【００３２】
ディスク関連情報が高周波のウォッブルで形成された高周波データゾーンは、プッシュプルチャンネルを利用して再生され、ピットで形成されたユーザーデータ領域は和チャンネルを利用して再生される。そして、前記高周波データゾーンとユーザーデータ領域との間に形成された転移ゾーンは、プッシュプルチャンネルと和チャンネルとを利用して再生される。このようにして、プッシュプルチャンネルと和チャンネル双方からいずれも信号が検出されれば、転移ゾーンであることが区別できる。ここで、前記転移ゾーンはピット列で形成され、このピット列が、ウェーブ形状を持つようにウォッブリングされたピット列でありうる。ピットは和チャンネルで再生され、ウォッブルはプッシュプルチャンネルで再生されるので、和チャンネルとプッシュプルチャンネル双方から信号が検出される。
【産業上の利用可能性】
【００３３】
前記のように本発明による再生専用の高密度光ディスクは、ディスク関連情報が高周波のウォッブルで形成された高周波データゾーンと、ピットで形成されたユーザーデータ領域との間に転移ゾーンを具備することによって、ユーザーデータ領域の再生時に信頼性のある再生がなされる。
【００３４】
本発明のいくつかの実施例が図示されかつ説明されたが、本発明の原理及び思想から逸脱しない範囲内で、そして特許請求の範囲及びその均等な範囲内で当業者により変更されうる。
【図面の簡単な説明】
【００３５】
【図１】本発明の関連技術であって、記録可能な高密度光ディスクの構造を概略的に示した図である。
【図２】本発明による再生専用の高密度光ディスクの構造を概略的に示した図である。
【図３Ａ】本発明の第１実施例による再生専用の高密度光ディスクの色々な例を示した図である。
【図３Ｂ】本発明の第１実施例による再生専用の高密度光ディスクの色々な例を示した図である。
【図３Ｃ】本発明の第１実施例による再生専用の高密度光ディスクの色々な例を示した図である。
【図４Ａ】本発明の第２実施例による再生専用の高密度光ディスクの色々な例を示した図である。
【図４Ｂ】本発明の第２実施例による再生専用の高密度光ディスクの色々な例を示した図である。
【図４Ｃ】本発明の第２実施例による再生専用の高密度光ディスクの色々な例を示した図である。
【図５】本発明の第３実施例による再生専用の高密度光ディスクを示した図である。
【図１】
2005531870.tif 000004
【図２】
2005531870.tif 000005
【図３Ａ】
2005531870.tif 000006
【図３Ｂ】
2005531870.tif 000007
【図３Ｃ】
2005531870.tif 000008
【図４Ａ】
2005531870.tif 000009
【図４Ｂ】
2005531870.tif 000010
【図４Ｃ】
2005531870.tif 000011
【図５】
2005531870.tif 000012
【国際調査報告】
2005531870.tif 000013